(57)【要約】【課題】取付施工性が容易なものでありながら、長年に亘って強固な取付状態を維持でき意匠性に優れた笠木用エンドキャップを提供する。【解決手段】木質材からなる板状笠木４の長手方向端部４ａに覆うように取付けられる笠木用エンドキャップ１であって、前記笠木の前記長手方向端部に固定部材５で固着されるベースプレート３と、該ベースプレートに形成された孔部３０に掛止される掛止片２０が裏面２ｂに突出して形成されたカバー部材２とを備え、前記固定部材で前記長手方向端部に固着された前記ベースプレートに前記カバー部材を覆い被せて押圧することにより前記孔部に前記掛止片が掛止され、前記ベースプレートと前記カバー部材が一体となって前記長手方向端部に取付けられることを特徴とする。【選択図】図１
2010126911.tif 000002
【特許請求の範囲】
【請求項１】
木質材からなる板状笠木の長手方向端部に覆うように取付けられる笠木用エンドキャップであって、
前記笠木の前記長手方向端部に固定部材で固着されるベースプレートと、該ベースプレートに形成された孔部に掛止される掛止片が裏面に突出して形成されたカバー部材とを備え、前記固定部材で前記長手方向端部に固着された前記ベースプレートに前記カバー部材を覆い被せて押圧することにより前記孔部に前記掛止片が掛止され、前記ベースプレートと前記カバー部材が一体となって前記長手方向端部に取付けられることを特徴とする笠木用エンドキャップ。
【請求項２】
請求項１において、
前記ベースプレートの上端を前記笠木の長手方向端面の上端に沿わせて配置し、この状態で前記固定部材によって前記笠木の前記長手方向端部に前記ベースプレートを固着し、前記カバー部材を前記ベースプレートに取付けるようにしたことを特徴とする笠木用エンドキャップ。
【請求項３】
請求項１又は請求項２において、
前記カバー部材の長手方向の内寸は、前記笠木の前記長手方向端面における長手方向の寸法より大に形成され、
前記ベースプレートの前記孔部は、前記ベースプレートの長手方向に長い方形状に形成されていることを特徴とする笠木用エンドキャップ。
【請求項４】
請求項３において、
前記ベースプレートの前記孔部の長手方向周縁には、前記掛止片が掛止される孔縁段部が形成されており、
前記カバー部材の前記掛止片は、向かい合う孔縁段部のそれぞれに掛止されるよう複数設けられ、且つ前記孔部の角部には接しないように形成されていることを特徴とする笠木用エンドキャップ。
【請求項５】
請求項１〜請求項４のいずれか１項において、
前記ベースプレートには前記固定部材が挿通される挿通孔が形成されており、該挿通孔は前記ベースプレートの幅方向に長い長円形状であることを特徴とする笠木用エンドキャップ。
【請求項６】
請求項１〜請求項５のいずれか１項において、
前記ベースプレートの幅方向及び長手方向の寸法は、前記カバー部材の幅方向及び長手方向の寸法より小に形成され、
前記ベースプレートの下端部には位置合わせ突部が形成されていることを特徴とする笠木用エンドキャップ。
【発明の詳細な説明】
【技術分野】
【０００１】
本発明は、建物内の吹き抜け廊下の低壁や階段の低壁などの上部を保護するために設けられる笠木の長手方向端部に覆うように取付けられる笠木用エンドキャップに関する。
【背景技術】
【０００２】
従来より、パラペットなどの低壁の上部を保護するために設けられる笠木の端部には、その端部を覆うようにエンドキャップが設けられ、このようなエンドキャップとしては、下記特許文献１及び下記特許文献２に開示されているものが挙げられる。
下記特許文献１には、従来例として笠木の端部に嵌合する嵌合部と、笠木の端部から露出するフランジ部とを備えたエンドキャップが開示されている（下記特許文献、図１１、図１３参照）。このエンドキャップは、嵌合部の周囲に両面接着テープを巻付け、嵌合部を笠木に嵌め入れることで、両面接着テープの接着性によりエンドキャップを笠木に固着するようになっている。
また下記特許文献１には、枠部材と端板とからなるエンドキャップが開示されており、エンドキャップを構成する枠部材及び端板は、リベット或いは螺子などの固定具を用いてそれぞれが笠木の端部に直接固着されるものが記載されている。
下記特許文献２には、笠木の端部を塞ぐ小口蓋と、保持手段とからなるエンドキャップが開示されており、保持手段の内側に小口蓋を保持し、保持手段に形成された支持片によって小口蓋を支持する構造とし、保持手段自体はビス、リベットなどで笠木の端部に固着されるものが記載されている。
【特許文献１】特開２００３−３６３７号公報
【特許文献２】特開平１０−１６９１２３号公報
【発明の開示】
【発明が解決しようとする課題】
【０００３】
上記特許文献１や上記特許文献２で開示されているエンドキャップは、建物の屋外バルコニーや屋上パラペットに設けられるアルミ製などからなる笠木の端部に取付けられるものであるため、笠木と同じアルミ製などからなるものである。よってこれを建物内の吹き抜け廊下の低壁或いは階段の低壁などの上部に設けられる笠木用のエンドキャップとして適用した場合、以下の問題がある。
【０００４】
建物内の低壁の上部に設けられる笠木は、住人などが手摺りのように手を滑らせて触ったりなどすることがあるため、エンドキャップを固着するための固定具が露出していると、怪我をしたり、衣服が固定具に引っ掛かる可能性がある。よって固定具が露出していないものが望ましい。
またエンドキャップは笠木の端部を覆うものであるため目に付きやすく、建物内に用いられる笠木は木質系からなる場合が多い。よって安全性はもちろん木質系の笠木に合わせた外観をすっきり構成できるものが望ましい。
【０００５】
そこで建物内の低壁上部に設けられた笠木用エンドキャップは、固着させる際に固定具を用いるのではなく、特許文献１の従来例としても挙げられているように、接着テープや接着剤で笠木の端部に固着したものが知られている。
しかしながらこの場合は、取付け後、年数が経つにつれて接着剤が劣化し、エンドキャップが自然に外れてしまうおそれがある点、また特許文献１の従来例のような構造の場合は、笠木の端部にぴったりとエンドキャップが嵌入されるように高レベルの寸法精度が求められる点が問題となる。
エンドキャップは一旦取付けられたら、再度外す必要が生じることがなく、長年強固な取付状態が維持できるものが望ましい。
【０００６】
本発明は、上記実情に鑑みなされたものであり、取付施工性が容易なものでありながら、長年に亘って強固な取付状態を維持でき意匠性に優れた笠木用エンドキャップを提供する。
【課題を解決するための手段】
【０００７】
前記課題を解決するために、本発明に係る笠木用エンドキャップは、木質材からなる板状笠木の長手方向端部に覆うように取付けられる笠木用エンドキャップであって、前記笠木の前記長手方向端部に固定部材で固着されるベースプレートと、該ベースプレートに形成された孔部に掛止される掛止片が裏面に突出して形成されたカバー部材とを備え、前記固定部材で前記長手方向端部に固着されたベースプレートに前記カバー部材を覆い被せて押圧することにより前記孔部に前記掛止片が掛止され、前記ベースプレートと前記カバー部材が一体となって前記長手方向端部に取付けられることを特徴とする。
【０００８】
本発明において、前記ベースプレートの上端を前記笠木の長手方向端面の上端に沿わせて配置し、この状態で前記固定部材によって前記笠木の前記長手方向端部に前記ベースプレートを固着し、前記カバー部材を前記ベースプレートに取付けるようにすることができる。
これによれば、笠木の長手方向端面の上端を目印にベースプレートの取付け位置の位置合わせを行えば、カバー部材を取付けの際には位置合わせをしなくても、笠木の長手方向端部に精度よく取付けることができる。
【０００９】
また本発明において、前記カバー部材の長手方向の内寸は、前記笠木の長手方向端面における長手方向の寸法より大に形成され、前記ベースプレートの前記孔部は前記ベースプレートの長手方向に長い方形状に形成されているものとしてもよい。
これによれば、カバー部材の長手方向の内寸は、笠木の長手方向端面の長手方向より大に形成されているので、カバー部材によって笠木の長手方向に寸法誤差があっても笠木の長手方向端面（木口面）をカバー部材で隠すことができる。よってベースプレートを長手方向端部に固着する際に用いられる固定部材が見えない状態とすることができるので、見栄えがよい。またカバー部材の掛止片が掛止される孔部が長手方向に長い方形状に形成されているので、ベースプレートの固定部材による固着状態に左右方向のずれがあっても、後に取付けられるカバー部材はベースプレートに取付けられた状態で左右方向に動かして取付位置を調整することができる。
【００１０】
更に本発明においてベースプレートの長手方向に長い方形状の前記孔部の長手方向周縁には、前記掛止片が掛止される孔縁段部が形成されており、前記カバー部材の前記掛止片は、向かい合う孔縁段部のそれぞれに掛止されるよう複数設けられ、且つ前記孔部の角部には接しないように形成されているものとすることができる。
これによれば、複数形成された掛止片は、ベースプレートの孔縁段部に掛止されるとき、向かい合う孔縁段部のそれぞれに掛止されるように設けられているので、ベースプレートの上下両方向がカバー部材の掛止片で掛止された状態となる。よっていずれか一方向に力をかけて掛止を外そうとしても、他方の掛止が強まり、一旦ベースプレートにカバー部材を取付けると取外せない構造とすることができる。
また掛止片は孔部の角部には接しないように形成されるので、ベースプレートが笠木の長手方向端面に取付けられた際、左右方向にずれがあったりなどした場合でも、掛止片が孔部に掛止された状態で左右方向の取付位置の位置合わせをすることができる。
【００１１】
そして本発明においてベースプレートには前記固定部材が挿通される挿通孔が形成されており、該挿通孔は前記ベースプレートの幅方向に長い長円形状としてもよい。
これによれば、固定部材の挿通孔が幅方向に長い長円形状に形成されているので、ベースプレートを固着位置に固定した状態とし、螺入しやすい場所に固定部材を螺入することができるので、施工性がよいものとすることができる。
【００１２】
また本発明において、前記ベースプレートの幅方向及び長手方向の寸法は、前記カバー部材の幅方向及び長手方向の寸法より小に形成され、前記ベースプレートの下端部には位置合わせ突部が形成されているものとすることができる。
これによれば、カバー部材をベースプレートに被せて押圧して取付ける際に、ベースプレート或いはカバー部材の上下方向に多少の寸法誤差があっても、カバー部材の下縁部が位置あわせ突部に沿ってスムーズにベースプレートに嵌め入れられ、互いを容易に嵌合状態とすることができる。
【発明の効果】
【００１３】
本発明に係る笠木用エンドキャップによれば、笠木の長手方向端部に固定部材で固着されたベースプレートにカバー部材を覆い被せて押圧することによりベースプレートの孔部にカバー部材の掛止片が掛止され、前記長手方向端部に一体となって取付けることができる。よって、例えば接着剤によって取付けられたものの場合は年数が経つと、接着剤の劣化により笠木用エンドキャップが外れてしまう場合があるが、これによれば、長年に亘って強固な取付状態を維持できる。
またベースプレートの上にカバー部材を覆い被せて押圧することにより孔部に前記掛止片が掛止されるので、取付施工が非常に容易であり、ベースプレートを固定する固定部材はカバー部材で隠れるので意匠性に優れ、笠木の長手方向端部をすっきり構成できる。更に一旦取付けられれば外れにくく、また固定部材など引っ掛かるものがないので、安全性にも優れている。
【発明を実施するための最良の形態】
【００１４】
以下に、本発明の実施の形態について、図面を参照しながら説明する。
図１は本発明に係る笠木用エンドキャップの取付け要領を説明するための分解斜視図、図２（ａ）は同笠木用エンドキャップのカバー部材の裏面側平面図、図２（ｂ）は図２（ａ）に示すカバー部材のＸ―Ｘ線矢視断面図、図３（ａ）は同笠木用エンドキャップのベースプレートの裏面側平面図、図３（ｂ）は図３（ａ）に示すベースプレートのＹ−Ｙ線矢視断面図、図３（ｃ）は図３（ａ）に示すベースプレートのＹ’−Ｙ’線矢視断面図、図４（ａ）は同笠木用エンドキャップのベースプレートに対する嵌合状態を示す裏面側平面図、図４（ｂ）は図４（ａ）のＺ−Ｚ線矢視断面図、図５は同笠木用エンドキャップが階段付近の低壁上部の笠木に取付けられた施工例を示す図である。
【００１５】
エンドキャップ１は、笠木４の長手方向端部４ａに木口面４ｄ（長手方向端面）を覆うように取付けられる。エンドキャップ１は笠木４の長手方向端部４ａにねじなどの固定部材５で固着されるベースプレート３と、ベースプレート３に形成された孔部３０の孔縁段部３１ａに掛止される掛止片２０が裏面２ｂに突出して形成されたカバー部材２との２部材が嵌合一体となって構成されている。
【００１６】
エンドキャップ１が取付けられる笠木４は、図５に示すように階段６の側部に設けられ、階段６の段数が高くなるにつれて上方斜め方向に高くなる低壁７の上部を保護するために設けられる木質材からなる板材である。
笠木４は、集成材などからなる基材４１と、少なくとも基材４１の上面及び側面を覆い、木目柄などが印刷された樹脂の化粧材４０とからなり、低壁７の上部に取付けられたときに露出しているところが化粧材４０で覆われた状態になるよう構成されている。
図１、図５に示すように笠木４の角部４ｃは面取りがなされており、このように角部４ｃを面取り形状とすることにより、安全性（角部４ｃにぶつかっても怪我をしにくい）及び意匠性を向上させることができる。
笠木４の長手方向端部４ａはエンドキャップ１を取付けない状態では、図１に示すように木口面４ｄが見えてしまうため、エンドキャップ１が取付けることにより見栄えをよくすることができる。
【００１７】
図２（ａ）及び図２（ｂ）に示すカバー部材２は樹脂材製部材などからなり、ＡＢＳ樹脂など剛性、硬度、加工性に優れた樹脂が好適に用いられる。
カバー部材２の長手方向の内寸は、笠木４の木口面４ｄの長手方向よりひとまわり程度、やや大に形成され、幅方向は笠木４の木口面４ｄの幅方向と略同じ幅であればよい。
よって、笠木４の長手方向端部４ａに取付けられた際には、少なくとも木口面４ｄの上端縁４ｂ、角部４ｃ、左右端縁４ｅはカバー部材２で覆われた状態となる。
【００１８】
カバー部材２は、木口面４ｄに沿って取付けられる本体部２３と、笠木４の上端縁４ｂを覆う上部覆い縁部２４と、笠木４の下端縁４ｆに沿うよう形成される下縁部２５と、左右端縁４ｅを覆う側部覆い縁部２６とを備えている。
上部覆い縁部２４はベースプレート３に嵌合された際に、ベースプレート３の上端３ａと上部覆い縁部２４の内面側との間に隙間が構成されないよう形成される。
下縁部２５は笠木４の木口面４ｄに取付けられた際に笠木４の下端縁４ｆに沿うように形成されているので、笠木４の上端縁４ｂを覆う上部覆い縁部２４より突出部分が小に形成されている（図４（ｂ）参照）。また下縁部２５の内面は、後記するベースプレート３の位置合わせ突部３５に沿って嵌め入れられるので、押圧がかかっても破損することがないよう覆い縁部２４及び側部覆い縁部２６より肉厚に形成されている。
側部覆い縁部２６はカバー部材２の左右方向の位置合わせを可能とするために、ベースプレート３と嵌合された際に、ベースプレート３の左右端３ｄとの間にやや遊び空間（隙間）が構成されるように形成される。
上部覆い縁部２４の先側２４ａ及び側部覆い縁部２６の先側２６ａは表面側から内面側に向かって傾斜して先細に形成されている。よって、笠木４の長手方向端部４ａに取付けられた際に角ができないので、服や指などがひっかかることがない。側部覆い縁部２６の断面図を示していないが断面は上部覆い縁部２４と同様である。
カバー部材２の表面２ａ側の上方角部２４ｂは、笠木４の面取りされた角部４ｃの形状に合わせて面取り形状となっており、カバー部材２の表面２ａの色、柄を笠木４の化粧材４０の色、柄とあわせたものとすればより意匠性の高いものとすることができる。
そして上述のようにカバー部材２の長手方向の内寸は、笠木４の木口面４ｄの長手方向よりやや大に形成されているので、笠木４の木口面４ｄを完全に隠すことができる。
【００１９】
カバー部材２の裏面２ｂには４つの掛止片２０が形成されており、掛止片２０は、カバー部材２の裏面２ｂから突出した基部２１と、カバー部材２の幅方向外方に向かって折曲形成された鍔部２２とを備えている。
４つの掛止片２０の鍔部２２の折曲方向は、後記するベースプレート３の孔部３０の孔縁段部３０ａに掛止されるときにそれぞれ異なる方向になるよう形成されている。すなわち図例のものでは、４つのうち外方（両側）に位置するところに形成された２つの掛止片２０は上部外方に向かって折曲形成された鍔部２２を備えており、内方に位置するところに形成された２つの掛止片２０は下部外方に向かって折曲形成された鍔部２２を備えている。
このように異なる方向に形成された掛止片２０を備えることにより、ベースプレート３の孔縁段部３０ａに掛止されるとき、向かい合う孔縁段部３０ａのそれぞれに掛止されるので、ベースプレート３の上下両方向がカバー部材２の掛止片２０で掛止された状態となる。
また掛止片２０は、孔部３０に掛止されたときに孔部３０の角部３０ｃ（図４（ａ）参照）には接しないように形成されている。
掛止片２０の鍔部２２は斜めに形成された傾斜面２２ａを備えており、これにより孔部３０に掛止片２０を掛止される際に傾斜面２２ａが後記するベースプレート３の誘導部３０ｂ上に誘導され大きな力をかけなくてもスムーズに掛止させることができる。すなわち、孔部３０に掛止される際には後記する誘導部３０ｂに傾斜面２２ａが当接して弾性変形し、孔縁段部３０ａに鍔部２２が掛止された際には、鍔部２２の弾性反力をして元の形状に戻り掛止片２０が孔部３０に掛止された状態となるのである。
なお、掛止片２０の掛止状態については後にも詳述する。また掛止片２０の数、形状、構成は図例に限定されるものではなく、エンドキャップ１の大きさなどによって適宜設けられるものである。
【００２０】
図３（ａ）及び図３（ｂ）に示すベースプレート３は、樹脂材製部材などからなり、カバー部材２と同様にＡＢＳ樹脂など剛性、硬度、加工性に優れた樹脂が好適に用いられる。
ベースプレート３の幅方向及び長手方向の寸法は、前記したカバー部材２の幅方向及び長手方向より小に形成されている（図３（ａ）の２点鎖線の関係参照）。
ベースプレート３は後記する孔部３０、挿通孔３１の孔が形成されるとともに強度を保つためのリブが複数形成された薄板体であり、笠木４の木口面４ｄに直接固定部材５によって固着される。ベースプレート３の角部３ｃ及び四周端３ａ、３ｂ、３ｄ（左右端）の角部は面取り形状とされている。
ベースプレート３には少なくともカバー部材２の掛止片２０が掛止される２つの孔部３０と、固定部材５が挿通される３つの挿通孔３１とを備えている。
孔部３０はベースプレート３の長手方向に長い方形状（横長）に２つ形成されている。
孔部３０の長手方向周縁にのみ、掛止片２０が掛止されたときに鍔部２２と当接し掛止状態とする孔縁段部３０ａが形成されている。またベースプレート３のカバー部材２の掛止片２０が挿入される側（木口面４ｄに固着された状態における表面側）はスムーズに掛止片２０が押圧によって孔部３０に掛止されるよう球体面状に形成された誘導部３０ｂを備えている（図１、図３（ｃ）、図４（ｂ）参照）。
【００２１】
固定部材５の挿通孔３１が幅方向に長い長円形状（縦長）に３つ形成されているので、ベースプレート３を固着位置に固定した状態とし、螺入しやすい場所に固定部材５を螺入することができる。具体的には、例えば笠木４として集成材が基材４１として用いられる場合は、螺入する位置によっては硬い素材の木質材が配されている場合があるため、螺入位置を調整できれば作業がしやすくなり施工性を向上させることができる。
挿通孔３１は固定部材５の頭部（ねじであれば螺子頭）を受容する受孔縁段部３１ａ（図１、図３（ｂ）参照）が形成されている。
ベースプレート３の下端３ｂには位置合わせ突部３２が形成されている。位置合わせ突部３２は、図３（ｂ）及び図３（ｃ）からもわかるように丸みを帯びた半球体面状に形成されている。
これによれば、カバー部材２をベースプレート３に被せて押圧して取付ける際に、強い力をかけなくてもカバー部材２の下縁部２５が位置あわせ突部３２に沿ってスムーズに嵌め合わされる。
なお、孔部３０及び挿通孔３１の数、形状は図例に限定されるものではなく、ベースプレート３の大きさなどによって適宜設けられるものである。
【００２２】
図４（ａ）及び図４（ｂ）は、ベースプレート３とカバー部材２とが嵌合され、エンドキャップ１を構成している状態を示しており、図４（ｂ）は２点鎖線で笠木４の木口面４ｄへの取付け状態を示している。
図４（ａ）及び（ｂ）に示すようにエンドキャップ１はカバー部材２の掛止片２０がベースプレート３の孔部３０に掛止されて嵌合一体となって、笠木４の木口面４ｄに取付けられており、カバー部材２はベースプレート３より大に形成されているので、ベースプレート３及び木口面４ｄを覆うことができる。
上述したようにカバー部材２に形成された掛止片２０は、ベースプレート３の向かい合う孔縁段部３０ａのそれぞれに掛止されるよう複数設けられ、且つ孔部３０の角部３０ｃには接しないように形成されている。
図４（ａ）の例では、１つの孔部３０に対して２つの掛止片３０が掛止されており、掛止片２０のそれぞれの鍔部２２が孔縁段部３０ａに掛止された状態となる。すなわち、鍔部２２の折曲方向はそれぞれが異なる方向に形成されている（図４（ｂ）参照）。
【００２３】
掛止片２０が形成される位置は、図例に限定されず、図例のように長手方向にずれた位置にあってもよいし、２つの掛止片２０が背中合わせになる位置に形成されたものとしてもよいが、カバー部材２の左右方向の位置合わせを可能とするために、孔部３０の角部３０ｃに接しないよう図４（ａ）のようにある程度の遊び空間（隙間）を持たせて形成することが望ましい。
これによれば、例えば一旦ベースプレート３に嵌め合わされたカバー部材２を外そうと上下のいずれか一方に力をかけ、鍔部２２と孔縁段部３０ａの間に空間を作って掛止状態を緩めても、片側の鍔部２２は孔縁段部３０ａとの間に隙間なく当接した状態となり掛止状態が強くなる。よって一旦ベースプレート３の孔部３０に掛止片２０が掛止されると掛止片２０を基部２１から折ってしまわない限りは簡単に取外せない構造となっているのである。
【００２４】
続いてエンドキャップ１の取付手順について説明する。
まずは笠木４の木口面４ｄの上端４ｂを目印にベースプレート３の上端３ａを沿わせるように配置し、取付け位置の位置合わせを行う。このときに固定部材５の螺入位置を確認し下穴を開けておく。ここでは３つの挿通孔３１を通じて３つの固定部材５が螺入されるので３つの下穴を準備形成しておく。ベースプレート３の挿通孔３１は幅方向に長い長円形状に形成されているので、挿通孔３１でカバーされている螺入しやすい場所に下穴を形成しておけば、固定部材５の螺入をスムーズに行うことができる。
下穴を形成した後、再度ベースプレート３の上端３ａを木口面４ｄの上端４ｂに沿わせて配置し、この状態で３つの固定部材５を順番に挿通孔３１を通じて下穴の位置に螺入していく。このエンドキャップ１において、木口面４ｄに精度よく取付けるには、ベースプレート３の上端３ａを木口面４ｄの上端４ｂにきっちり合わせて固着することが重要となる。逆にこの工程を着実に行えばあとは位置合わせの必要がなく、精度よく取付けることができるのである。
【００２５】
ベースプレート３を木口面４ｄに固定部材５によって強固に固着した後、カバー部材２をベースプレート３に覆い被せて押圧する。このとき、カバー部材２の上部覆い縁部２４側をベースプレート３の上端３ａに沿わせて覆い被せた後、カバー部材２の下縁部２５側を押圧すると、位置合わせ突部３２が下縁部２５の内面側に当接しスムーズにカバー部材２をベースプレート３に嵌め合わせる（パッチン止め）ことができる。カバー部材２を取付ける際には、上述したように特別な位置合わせをする必要はなく、表裏面２ａ、２ｂ及び取付け方向を間違えることがないよう気をつければよい。すなわちカバー部材２の上部覆い縁部２４がベースプレート３の上端３ａ及び木口面４ｄの上端縁４ｂの上方、側部覆い縁部２６がベースプレート３の左右端３ｄ及び木口面４ｄの左右端縁４ｅに覆い被さるようになればよいのである。
そしてカバー部材２の下縁部２５内面側の上にベースプレート３の位置合わせ突部３２が配された状態で押圧すれば、大きな力や治具を要することなく、孔部３０に掛止片２０が掛止され、ベースプレート３とカバー部材２が嵌合一体となる（図４（ｂ）参照）。
このとき、ベースプレート３の固定部材５による固着状態に左右方向のずれがあっても、上述したように側部覆い縁部２６がベースプレート３と嵌合された際に、ベースプレート３の左右端３ｄとの間にやや遊び空間（隙間）が構成されるように形成されている上、孔部３０が長手方向に長い方形状に形成され、また掛止片２０が孔部３０の角部３０ｃに接しないように形成されているので、カバー部材２は掛止された状態で左右方向に動かすことができ、嵌合一体とした後にカバー部材２の取付位置を調整することができる。またカバー部材２の上部覆い縁部２４はベースプレート３の上端３ａ及び木口面４ｄの上端縁４ｂと上部覆い縁部２４の先側２４ａとの間には隙間が形成されないよう取付けられる。
こうして笠木４の長手方向端部４ａにエンドキャップ１が装着された状態となる（図５参照）。
このように、笠木４の木口面４ｄに固定部材５で固着されたベースプレート３にカバー部材２を覆い被せて押圧すれば簡単にエンドキャップ１を長手方向端部４ａに取付けることができる。またベースプレート３とカバー部材２とは一旦嵌合状態になると外すことができない構造となっている（嵌め殺し状態となる）ため、エンドキャップ１を笠木４の長手方向端部４ａに強固に取付けられた状態を長年に亘って維持できる。
【００２６】
なお、エンドキャップ１を構成するカバー部材２、ベースプレート３の構成、形状は図例に限定されるものではなく、笠木４のエンドキャップ１に用いられる例も図５に示す階段付近に設けられた笠木４のエンドキャップ１に限定されず、例えば階段の踊り場付近の低壁上部或いは吹き抜け廊下の低壁上部に設けられた笠木４のエンドキャップ１とすることもできる。
【図面の簡単な説明】
【００２７】
【図１】図１は本発明に係る笠木用エンドキャップの取付け要領を説明するための分解斜視図である。
【図２】（ａ）は同笠木用エンドキャップのカバー部材の裏面側平面図、（ｂ）は図２（ａ）に示すカバー部材のＸ―Ｘ線矢視断面図である。
【図３】（ａ）は同笠木用エンドキャップのベースプレートの裏面側平面図、（ｂ）は図３（ａ）に示すベースプレートのＹ−Ｙ線矢視断面図、（ｃ）は図３（ａ）に示すベースプレートのＹ’−Ｙ’線矢視断面図である。
【図４】（ａ）は同笠木用エンドキャップのベースプレートに対する嵌合状態を示す裏面側平面図、（ｂ）は図４（ａ）のＺ−Ｚ線矢視断面図である。
【図５】同笠木用エンドキャップが階段付近の低壁上部の笠木に取り付けられた施工例を示す図である。
【符号の説明】
【００２８】
１      （笠木用）エンドキャップ
２      カバー部材
２ｂ      裏面
２０      掛止片
２２      鍔部
３      ベースプレート
３０      孔部
３１      挿通孔
４      笠木
４ａ      長手方向端部
４ｂ      上端
４ｄ      木口面（笠木の長手方向端面）
５      固定部材
【図１】
2010126911.tif 000003
【図２】
2010126911.tif 000004
【図３】
2010126911.tif 000005
【図４】
2010126911.tif 000006
【図５】
2010126911.tif 000007